(57)【特許請求の範囲】
【請求項１】
回路カードであって、
一対の信号パッドと、
該一対の信号パッドの対向する両側に位置する第１の接地パッド及び第２接地パッドと、
前記第１の接地パッドに電気的に接続された第１の接地トレースと、
前記第２の接地パッドに電気的に接続された第２の接地トレースと、
中間接地トレースと、
前記第１の接地トレースを前記中間接地トレースに接続する第１の抵抗器と、
前記第２の接地トレースを前記中間接地トレースに接続する第２の抵抗器と、
前記第１の接地トレースと、前記第２の接地トレースと、前記中間接地トレースとを接続する共通バーと、を備え、
前記接地トレースの前記抵抗器と前記共通バーとの間における第１の電気長は、前記抵抗器と前記共通バーとの間を直線的に延伸する仮定のトレースの第２の電気長よりも実質的に長くなる回路カード。
【請求項２】
前記接地トレースが、前記抵抗器と前記共通バーとの間で屈折するように配置されることによって、前記接地トレースが進行する物理的距離を少なくとも３ｍｍ長くする請求項１に記載の回路カード。
【請求項３】
前記第１の電気長は、屈折により、少なくとも前記第２の電気長の５０％を超える請求項２に記載の回路カード。
【請求項４】
前記第１の電気長は、屈折により、少なくとも前記第２の電気長の２倍となる請求項２に記載の回路カード。
【請求項５】
前記接地トレースは、分離しており、前記分離をブリッジ接続するインダクターを更に備える請求項１に記載の回路カード。
【請求項６】
前記インダクターが、前記第１の電気長が少なくとも前記第２の電気長の５０％を超えるように配置される請求項５に記載の回路カード。
【請求項７】
前記インダクターが、前記第１の電気長が少なくとも前記第２の電気長の２倍となるように配置される請求項５に記載の回路カード。
【発明の詳細な説明】
【技術分野】
【０００１】
本願は２０１０年２月１５日に出願した米国仮出願６１／３０４, ７４７の優先権を主張し、引用によって全体的に当該明細書に取り入れる。
【０００２】
本願はコネクタ分野に関し、より具体的に言えばハイデータレートに適したコネクタに関する。
【背景技術】
【０００３】
比較的高いデータレート（１０Ｇｂｐｓより大きい）に適する各種のコネクタが知られている。例えば、もうすぐ採用されるハイデータレートのコネクタの標準は、チャンネル毎に１０Ｇｂｐｓを提供し、一部のコネクタは１２個のツー・ウエー・チャンネルを備える。しかし、光チャンネルのデータレートと互換性を持たせるために、２５Ｇｂｐｓの性能を提供できるコネクタはよりよく注目されるようになっている。
【発明の概要】
【発明が解決しようとする課題】
【０００４】
ひとつの問題は、信号周波数の増加に従って、波長がコネクタにおける端子の電気長に近づき、コネクタの接地構成においてエネルギーが共振する傾向にあることである。スタック式のコネクタについては、端子の長さを短縮するのは難しいので、信号周波数が１０＋ＧＨｚになると、関連する周波数で実質的に共振する傾向もある。複数の端子を有する基板実装コネクタと、回路カードを有する嵌合プラグコネクタとからなるコネクタ・システムでは、図１に示されるような回路カードの採用によって共振を抑制し、発生するノイズを減少させる可能性があることが確認された。認識できるように、２本の隣接する接地トレースは抵抗器を介して中間接地トレースに接続されている。２本の隣接する接地トレースと中間接地トレースは、前記回路カードの対向する端部まで延伸して互いに接続される。国際特許出願ＰＣＴ／ＵＳ０９／０５１４０９において、この構造及び機能が公開され、該国際特許出願は引用によって全体的に本明細書に取り入れられた。この設計は有効であるが、一部のアプリケーションではパッケージングし難いことが分かった。従って、更に改良された回路カードは高く評価されるであろう。
【課題を解決するための手段】
【０００５】
本発明は、ハイデータレートに適し、共振を減少させる回路を備える回路カードを提供する。実施例において、回路は、接触パッドと共同接地領域との間の遅延時間を長くするための屈折接地パスを備える。他の実施例において、回路は、インダクターが結合されたパスを備え、インダクターは、接触パッドと共同接地領域との間に追加の遅延時間を導入するように配置される。接触パッドと共同接地領域との間の遅延時間を長くすることにより、２つの異なる接地端子間の電位による共振エネルギーを減少させることができる。
【０００６】
本願は実施形態によって示され、図面に制限されるわけではない。図面において、類似する参照符号は類似する部材を表している。
【図面の簡単な説明】
【０００７】
【図１】回路カードの実施例を示す斜視図である。
【図２】屈折接地パスを有する回路カードの実施例を示す斜視図である。
【図３】図２に示された回路カードを示す平面図である。
【図４】接続された接地パスを有する回路カードの実施例を示す斜視図である。
【図５】図４に示された回路カードを示す平面図である。
【発明を実施するための形態】
【０００８】
次は複数の典型的な実施例を具体的に説明するが、明確に公開される組合せに制限しようとするわけではない。従って、別途の説明がない限り、簡略化のために示さない他の複数の組合せを形成するように、明細書に公開される複数の特徴を組み合わせることができる。  
【０００９】
下記の実施例では、接地パスを中間接地トレースに接続する抵抗器と共通バーとの間に延伸する接地トレースに、遅延部を導入する。関係する周波数の波長の１／４に等しい電気長を提供する点同士間の距離は、前記抵抗器を作動させるのに十分であるが、より短い距離では、エネルギーを前記抵抗器を通過させるのではなく、前記共通バーによって提供された短いルートを「通らせる」傾向にあることが確認された。従って、通常、減衰回路の最短長さは、電気長が関係する周波数の波長の１／４に等しいことを許容する距離である。
【００１０】
図１から認識できるように、回路カード１１５は長さ１０５を有し、前縁部１２０と、後縁部１２４とを備える。複数の接触パッド１２１ａを信号の受信に用いることができ、複数の接地パッド１２１ｂを対応する嵌合コネクタにおける複数の接地コネクタに接続することができる。接触パッド１２１ａは領域１２７で終了し（その同時に、他層１４２における複数のトレースは長さ１０５に沿って延伸する）、中間接地トレース１４６は領域１２７から共通バー１１８に延伸する。図示されるように、層１４３には抵抗器によって領域１２７付近の中間接地トレース１４６と接続する隣接接地トレース１４４があり、隣接接地トレース１４４は共通バー１１８に達するまでに（その後、複数の接地パッド１２５に終端する）、波長の１／４に等しい距離だけ延伸する。
【００１１】
特定のアプリケーションに対して、この回路カードの長さは有効であるが、その他のパッケージング制限条件に適した長さより長くなることもある。次に説明する実施例は、より長い接地トレース（及び対応する回路カード）に対するニーズに応じた代替の実施例を提供する。
【００１２】
図２〜３は回路カード２００の実施例の複数の特徴を示しており、回路カード２００は第１層２２０を支持する表面２１０を有し、第１層２２０は、共振エネルギーを減衰するように配置された複数の接地トレースを備える。回路カード２００はある面で図１に示された回路カードの設計と類似するが、回路カード２００は複数の抵抗器２４０と共通バー２２１との間に延伸する接地トレース２３２ａ、２３２ｂ、２３２ｃ上の屈折パスを備える。ただし、注意すべきことは、他の実施例では中間接地トレースは屈折できるが、中間接地トレース２３５ａ、２３５ｂは屈折しないのである。通常、関係する波長の約１／４の電気長を有するように接地トレース２３２ａ、２３２ｂ、２３２ｃを長くすれば十分であることが確認された。図示された実施例はより短いコネクタを許容するとともに、接地パッド２３０ａ、２３０ｂが全て標準サイズであることを許容する。しかし、図面から認識できるように、抵抗器２４０と共通バー２２１との間の電気長を、屈折パスを配置することによって長くすることができる。
【００１３】
その結果として、距離２０５はパッケージングとコストのため短く保たれるが、接地トレースの延伸距離は実際の距離の２倍よりも長くなり得る。よって、信号パッドから後縁部２２０までの距離を顕著に短くすることができると共に、必要なトレースの延伸距離（結果として生じる電気長に関連すると考えられる）を依然として提供できる。この改良は、使用される材料の量の減少及び外部パッケージの更なる縮小を許容する。よって、信号パッド２１５ａ、２１５ｂを一般的な方式、又は他の必要な方式で配置することができ、回路カード２００の電気性能を改良するのに寄与する前部２１６を備えることもできる。
【００１４】
認識できるように、屈折パスは直線パスよりも長い。実施例において、屈折パスの長さは、対応する直線分が提供できるパスの長さの２倍、又は３倍になり得る。例えば、図２〜３に示す実施例において、直線距離２０５は約１．６５ｍｍであり、等価の屈折パスの距離は約５．２ｍｍである（直線距離の３倍よりも長い）。言い換えると、抵抗器と共通バーとの間の直線距離は約３．３ｍｍであり、屈折パスを通る距離は約７．８ｍｍである（又は抵抗器と共通バーとの間の長さの２倍よりも長い）。その結果として、屈折パスを形成するための材料は、結果として生じる電気長が比例して増加すると仮定すると、抵抗器と共通バーとの間の電気長の２倍よりも長くなる可能性がある。よって、屈折パスを有するトレースは電気長の増大に極めて大きな潜在力を提供し、仮定の直線型トレースを使用する場合に獲得できる遅延時間と比べ、より長い遅延時間を提供できる。
【００１５】
図４〜５は回路カード３００の他の実施例を示している。回路カード３００は第１層３２０を支持する表面３１０を備える。図２〜３に示された実施例と類似するように、第１層３２０は、接地パッド３３０ａ、３３０ｂ、３３０ｃの間に位置する信号パッド３１５ａ、３１５ｂを備える。接地パッド３３０ａ、３３０ｂ、３３０ｃは、抵抗器３４０を介してそれぞれ中間接地トレース３３５ａ、３３５ｂに接続された接地トレース３３２ａ、３３２ｂ、３３２ｃと接続される。図示されたように、接地トレース３３２ａ、３３２ｂ、３３２ｃは分離しており、インダクター３５０ａ、３５０ｂ、３５０ｃと接続される。言い換えると、インダクターは接地トレースにおける分離をブリッジ接続する。
【００１６】
インダクターは十分な遅延を導入することができ、それによって、全体長が１／４波長より短くても、エネルギーは抵抗器を通って減衰し、共通バーに到達して反射されることがないということが確認された。インダクターは接地トレース３３２ａ、３３２ｂ、３３２ｃの電気長を長くすることができ、インダクターを、抵抗器と共通バー３２１との間の結果的に生じる回路カードの物理的長さがインダクターの取り付けに必要な長さ程度に短くなり得るように配置することができる。実施例において、例えば、インダクターの長さは、抵抗器と共通バーとの間の距離３０５の相当的に大きな部分であってよい。よって、結果的に生じる電気長が、トレースが抵抗器３４０と共通バー３２１との間で直線に延伸した場合の電気長の２倍よりも長くなるように、回路カードを配置することができる。
【００１７】
認識できるように、インダクターを使用することにより、回路カードを非常に短くすることができ、パッケージングの制限条件が顕著である場合には有益である。屈折パスの設計について、インダクターを使用する場合と比べ、少し長い回路カードが潜在的に要求されているが、直線型トレースの形式と比べ、依然として所要の長さを顕著に短くすることができる。また、屈折トレースの設計に他の素子が必要ではないため、他の要求に応じてコストを削減することができる。注意すべきことは、共振減衰は中間接地トレースの長さに敏感ではないことが確認されたため、一般的に言えば、中間接地トレースを短くすることができ、その電気長を考慮する必要がない。しかし、認識できるように、結果的に生じる接地トレースの電気長が中間接地トレースの電気長よりも顕著に長くなるように接地トレースを配置することができ、実施例において５０％、１００％（例えば、２倍）、又は１００％以上長くなることが可能である。
【００１８】
本明細書に含まれる開示は、望ましい実施例と典型的な実施例によって各特徴を説明した。当業者は本明細書を読んだ後、特許請求の範囲と趣旨の範囲内で各種の他の実施例を、修正及び変形をすることができる。
【図１】
0005390716.tif 000002
【図２】
0005390716.tif 000003
【図３】
0005390716.tif 000004
【図４】
0005390716.tif 000005
【図５】
0005390716.tif 000006